(57)【要約】【課題】外包材前後分割型のパンツ型吸収性物品であって、漏れに対する不安感を与えにくく、また、着用者の股下に違和感や不快感を与えにくいものを提供すること。【解決手段】本発明のパンツ型吸収性物品１は、腹側シート部材２Ａ、背側シート部材２Ｂ及びそれらに架け渡して固定された吸収性本体３を具備し、腹側シート部材２Ａ及び背側シート部材２Ｂは、左右両側にサイドシール部４を有する本体部２０ａ，２０ｂと股下部Ｃ側に延出する延出部２１ａ，２１ｂを有しており、吸収性本体３は、吸収体３３及び該吸収体３３の長手方向の両側縁それぞれの外方に位置する側部シート部３４を有しており、側部シート部３４は、伸長状態で固定された弾性部材３６によって伸縮性を示す伸縮領域３４ｃを、少なくとも股下部Ｃに有し、伸縮領域３４ｃは、物品の中央線ＣＬから腹側端部３４ｍまでの長さＬｍが、該中央線ＣＬから背側端部３４ｕまでの長さＬｕよりも長い。【選択図】図２
2012148067.tif 000002
【特許請求の範囲】
【請求項１】
着用者の腹側に配される矩形状の腹側シート部材と、着用者の背側に配される矩形状の背側シート部材と、腹側シート部材及び背側シート部材に架け渡して固定された吸収性本体とを具備し、ウエスト開口部及び一対のレッグ開口部を有するパンツ型吸収性物品であって、
腹側シート部材及び背側シート部材は、それぞれ、左右両側にサイドシール部を有する本体部と、該本体部から股下部側に延出し、左右両側にサイドシール部を有しない延出部とを有しており、
前記吸収性本体は、縦長の吸収体、及び該吸収体の長手方向の両側縁それぞれの外方に位置する側部シート部を有しており、
前記側部シート部は、該側部シート部に伸長状態で固定された弾性部材によって伸縮性を示す伸縮領域を、少なくとも股下部に有しており、
前記伸縮領域は、物品の長手方向中央線から腹側シート部材側の端部までの長さが、該長手方向中央線から背側シート部材側の端部までの長さよりも長い、パンツ型吸収性物品。
【請求項２】
前記伸縮領域は、腹側シート部材上及び背側シート部材上にも延在しており、腹側シート部材上に位置する部分の全域が、腹側シート部材上に接合されておらず、背側シート部材に位置する部分の少なくとも一部が、背側シート部材上に接合されている、請求項１記載のパンツ型吸収性物品。
【請求項３】
前記伸縮領域は、腹側シート部材側の端部が、該腹側シート部材の前記本体部上に位置しており、背側シート部材側の端部が、該背側シート部材の前記延出部上に位置している、請求項１又は２記載のパンツ型吸収性物品。
【請求項４】
前記吸収体は、長手方向の両側それぞれに、長手方向に沿って延びる低剛性部を有している、請求項１〜３の何れか１項記載のパンツ型吸収性物品。
【請求項５】
前記伸縮領域は、その腹側シート部材側の端部が、前記低剛性部の腹側シート部材側の端部の位置よりも、腹側シート部材のウエスト開口端側に延出している、請求項４記載のパンツ型吸収性物品。
【請求項６】
前記吸収性本体の長手方向の両側における、前記側部シート部よりも幅方向内側に立体ギャザーを有しており、該立体ギャザーの伸縮領域は、前記側部シート部の前記伸縮領域の背側シート部材側の端部の位置よりも、背側シート部材のウエスト開口端側に延出している、請求項１〜５の何れか１項に記載のパンツ型吸収性物品。
【請求項７】
前記吸収性本体の長手方向の両側における、前記側部シート部よりも幅方向内側に立体ギャザーを有しており、腹側シート部材側においては、該立体ギャザーの伸縮領域の端部は、前記側部シート部の前記伸縮領域における腹側シート部材側の端部の位置に達していない、請求項１〜６の何れか１項に記載のパンツ型吸収性物品。
【請求項８】
前記吸収体は、繊維の集合体又はこれに吸水性ポリマーの粒子を保持させてなる吸収性コアと、該吸収性コアを被覆するコアラップシートを有し、前記吸収性コアの長手方向の中央線が、物品の前記長手方向中央線よりも、腹側シート部材側に存在する、請求項１〜７の何れか１項に記載のパンツ型吸収性物品。
【発明の詳細な説明】
【技術分野】
【０００１】
本発明は、使い捨ておむつ等のパンツ型吸収性物品に関する。
【背景技術】
【０００２】
従来、着用者の腹側に配される腹側部、着用者の股間部に配される股下部及び着用者の背側に配される背側部に亘る砂時計状の外包材と、該外包材の内面側に固定された吸収性本体とを備え、腹側部における外包材の両側縁部と背側部における外包材の両側縁部とが接合されてウエスト開口部及び一対のレッグ開口部が形成されているパンツ型吸収性物品が知られている。
このようなパンツ型吸収性物品を連続生産する際には、外包材の帯状原反にレッグ開口部形成用の貫通孔や切り欠きを形成し、不要な部分をトリムとして除去するのが一般的である。
【０００３】
また、従来のパンツ型吸収性物品として、外包材が、着用者の腹側に配される腹側シート部材と、着用者の背側に配される背側シート部材とに分割されており、吸収性本体が、腹側シート部材及び背側シート部材に架け渡すように固定されていると共に、腹側シート部材の左右の両側縁部と背側シート部材の左右両側縁部とが接合されているパンツ型吸収性物品が知られている。
例えば、特許文献１には、そのようなパンツ型吸収性物品として、前ベルト部分及び後ろベルト部分からなる環状弾性ベルトと吸収性本体とを備えると共に、後ろベルト部分（背側シート部材）の縦方向の長さを、前ベルト部分（腹側シート部材）の縦方向の長さよりも長くしたプルオン衣類が記載されている。
しかし、このタイプの使い捨ておむつは、前方の鼠蹊部近傍や臀部が露出して、漏れに対する不安感を与え易いという問題がある。
【０００４】
また、特許文献２には、展開型の使い捨ておむつとして、腹側部、股下部及び背側部に区分したときに、吸収体の背側部に配される部分に低坪量領域、該吸収体の股下部に配される部分に高坪量領域を有し、低坪量領域が設けられている背側部に、立体ギャザー及びレッグギャザーの少なくとも一方が実質的に形成されていないものが記載されている。
【先行技術文献】
【特許文献】
【０００５】
【特許文献１】特表２００８−５０８０８２号公報
【特許文献２】特開２００７−２６８２５３号公報
【発明の概要】
【発明が解決しようとする課題】
【０００６】
外包材が、着用者の腹側に配される腹側シート部材と、着用者の背側に配される背側シート部材とに分割されている外包材前後分割型のパンツ型使い捨ておむつは、吸収性本体の両側縁それぞれの外方に、着用者の前側の鼠蹊部近傍や臀部が大きく露出して、漏れに対する不安感を与え易いという問題があった。
また、前側の延出部分が存在しないため、装着時において衣服としてみたときに完全に肌を覆うことができず、外観的な問題が生じる。
他方、吸収性本体の単純に幅を広げた場合には、太腿の内側に吸収性本体の側部が強く当たり、股間部ないし股下に違和感や不快感を生じ易くなる。
特許文献２の展開型使い捨ておむつは、おむつを装着する際、背側部を平面状に広げることを可能とし、おむつを着用者の背中にあて易くするものであり、外包材前後分割型のパンツ型使い捨ておむつの股間部ないし股下の違和感や不快感を軽減するものではない。
【０００７】
従って、本発明の課題は、外包材前後分割型のパンツ型吸収性物品であって、漏れに対する不安感を与えにくく、また、着用者の股下に違和感や不快感を与えにくいパンツ型吸収性物品を提供することにある。
【課題を解決するための手段】
【０００８】
本発明は、着用者の腹側に配される矩形状の腹側シート部材と、着用者の背側に配される矩形状の背側シート部材と、腹側シート部材及び背側シート部材に架け渡して固定された吸収性本体とを具備し、ウエスト開口部及び一対のレッグ開口部を有するパンツ型吸収性物品であって、腹側シート部材及び背側シート部材は、それぞれ、左右両側にサイドシール部を有する本体部と、該本体部から股下部側に延出し、左右両側にサイドシール部を有しない延出部とを有しており、前記吸収性本体は、縦長の吸収体、及び該吸収体の長手方向の両側縁それぞれの外方に位置する側部シート部を有しており、前記側部シート部は、該側部シート部に伸長状態で固定された弾性部材によって伸縮性を示す伸縮領域を、少なくとも股下部に有しており、前記伸縮領域は、物品の長手方向中央線から腹側シート部材側の端部までの長さが、該長手方向中央線から背側シート部材側の端部までの長さよりも長い、パンツ型吸収性物品を提供するものである。
【発明の効果】
【０００９】
本発明のパンツ型吸収性物品は、外包材前後分割型のパンツ型吸収性物品でありながら、漏れに対する不安感を与えにくく、また、着用者の股下に違和感や不快感を与えにくいものである。
【図面の簡単な説明】
【００１０】
【図１】図１は、本発明の一実施形態であるパンツ型使い捨ておむつの使用状態（着用状態）を示す斜視図である。
【図２】図２は、図１に示すパンツ型使い捨ておむつの展開かつ伸長状態を示す一部破断平面図である。展開かつ伸長状態とは、おむつの両側部に存する接合部（サイドシール部）を引き剥がして、パンツ型吸収性物品を展開状態とし、その展開状態の吸収性物品を、各部の弾性部材を伸長させて、設計寸法（弾性部材の影響を一切排除した状態で平面状に広げたときの寸法と同じ）となるまで広げた状態をいう。
【図３】図３は、図１に示すパンツ型使い捨ておむつにおける腹側部の別の実施形態を示す平面図（図２相当図）である。
【図４】図４（ａ）ないし（ｄ）は、図１に示すパンツ型使い捨ておむつにおける背側部の別の実施形態を示す平面図（図２相当図）である。
【図５】図５は、図２のＩＩＩ−ＩＩＩ線拡大断面図である。
【図６】図６は、図２のＩＶ−ＩＶ線拡大断面図である。
【図７】図７は、図２のＶ−Ｖ線拡大断面図である。
【図８】図８は、図１に示すパンツ型使い捨ておむつの着用状態における吸収体の模式断面図で、（ａ）は、着用者の股下中央部よりやや腹側の部位における模式断面図、図８（ｂ）は、着用者の股下中央部よりやや背側の部位における模式断面図である。
【図９】図９は、本発明の第２実施形態のパンツ型使い捨ておむつを示す図で、（ａ）は、展開かつ伸長状態のおむつの吸収性本体をおむつ内面側から見た図、（ｂ）は、（ａ）のＸａ−Ｘａ線模式断面図（自然状態）である。
【図１０】図１０（ａ）は第１実施形態における側部シート部の積層構造を具体的に示す模式断面図であり、図１０（ｂ）は側部シート部の積層構造に係る変形例を示す模式断面図である。
【発明を実施するための形態】
【００１１】
以下、本発明のパンツ型吸収性物品を、その好ましい実施形態に基づき図面を参照しながら説明する。
本発明の第１実施形態であるパンツ型使い捨ておむつ１（以下、おむつ１ともいう）は、図１及び図２に示すように、着用者の腹側に配される矩形状の腹側シート部材２Ａと、着用者の背側に配される矩形状の背側シート部材２Ｂと、腹側シート部材２Ａ及び背側シート部材２Ｂに架け渡して固定された吸収性本体３とを具備し、腹側シート部材２Ａの両側縁部２ａ，２ａと背側シート部材２Ｂの両側縁部２ｂ，２ｂとが接合されて、一対のサイドシール部４，４が形成されている。
【００１２】
おむつ１は、図１及び図２に示すように、着用時に、着用者の腹側に配される腹側部Ａと、着用者の背側に配される背側部Ｂと、腹側部Ａと背側部Ｂとの間に位置し、着用者の股間部に配される股下部Ｃを有している。おむつ長手方向（物品長手方向）は、腹側部Ａから股下部Ｃを経て背側部Ｂに亘る方向又はその逆方向（図２中Ｘ方向）であり、おむつ幅方向（物品幅方向）は、着用者の胴回り方向に沿う方向であり、物品長手方向と交差する方向（図２中Ｙ方向）である。以下、おむつ長手方向（物品長手方向）を単にＸ方向、おむつ幅方向（物品幅方向）を単にＹ方向ともいう。
【００１３】
おむつ１における腹側シート部材２Ａは、おむつ１の展開かつ伸長状態（図２参照）において、横長の長方形状をなしており、おむつ長手方向（Ｘ方向）に沿う左右一対の側縁部２ａ，２ａと、おむつ幅方向（Ｙ方向）に沿う上下一対の端縁部２ｃ，２ｄ（上側端縁部２ｃ、下側端縁部２ｄ）とを有している。背側シート部材２Ｂも、同様に、おむつ１の展開かつ伸長状態（図２参照）において、横長の長方形状をなしており、Ｘ方向に沿う左右一対の側縁部２ｂ，２ｂと、おむつ幅方向（Ｙ方向）に沿う上下一対の端縁部２ｃ，２ｄ（上側端縁部２ｃ、下側端縁部２ｄ）とを有している。腹側シート部材２Ａと背側シート部材２Ｂは、図２に示すように、おむつ長手方向（Ｘ方向）の長さがおむつ幅方向（Ｙ方向）において均一である。
【００１４】
そして、腹側シート部材２Ａの側縁部２ａ（詳細には、その一部である接合部２ａ’）と、背側シート部材２Ｂの側縁部２ｂ（詳細には、その一部である接合部２ｂ’）とが接合されていることによって、おむつ１に、前述した一対のサイドシール部４，４が形成されている。この接合には、例えばヒートシール、高周波シール、超音波シール、接着剤等の公知の接合手段が用いられる。また、この接合によって、サイドシール部４，４と共に、ウエスト開口部５及び一対のレッグ開口部６，６が形成されている。
【００１５】
サイドシール部４は、図２に示すように、Ｘ方向の長さＬ４が、腹側シート部材２Ａの長さＬａ及び背側シート部材２Ｂの長さＬｂの何れよりも短く形成されており、腹側シート部材２Ａ及び背側シート部材２Ｂのそれぞれに、左右両側にサイドシール部４，４を有する本体部２０ａ，２０ｂと、本体部２０ａ，２０ｂから股下部Ｃ側に延出し、左右両側にサイドシール部４，４を有しない延出部２１ａ，２１ｂとが形成されている。
以下、腹側シート部材２Ａの本体部２０ａ及び延出部２１ａを、腹側本体部２０ａ及び腹側延出部２１ａともいい、背側シート部材２Ｂの本体部２０ｂ及び延出部２１ｂを、背側本体部２０ｂ及び背側延出部２１ｂともいう。
【００１６】
おむつ１における吸収性本体３は、図５に示すように、液透過性の表面シート３１、液不透過性又は撥水性の裏面シート３２、及び両シート３１、３２間に介在配置された液保持性の吸収体３３を有しており、図２に示すように、Ｘ方向に長い長方形状に形成されている。吸収体３３は、図５に示すように、パルプ繊維等の繊維の集合体（不織布であっても良い）又はこれに吸水性ポリマーの粒子を保持させてなる吸収性コア３３ａと、該吸収性コア３３ａを被覆するコアラップシート３３ｂ，３３ｃからなる。吸収体３３も、Ｘ方向に長い長方形状に形成されている。吸収体３３と裏面シート３２との間は、接着剤やヒートシール、超音波シール等の任意の接合手段によって接合されている。
【００１７】
吸収性本体３は、長手方向の一端側（腹側シート部材２Ａと重なっている部分）が、図６に示すように、腹側シート部材２ＡのＹ方向の中央領域に接着剤８を介して固定され、長手方向の他端側（背側シート部材２Ｂと重なっている部分）が、図７に示すように、背側シート部材２ＢのＹ方向の中央領域に接着剤８を介して固定されている。
【００１８】
吸収性本体３は、長手方向の両側部に、吸収体３３の長手方向の両側縁それぞれの外方に位置する側部シート部３４，３４を有している。
側部シート部３４は、図２に示すように、吸収性本体３の長手方向に沿って延びており、吸収性本体３の全長に亘って存在している。側部シート部３４は、図５に示すように、液抵抗性ないし撥水性のシート材３５及び該シート材３５に固定された弾性部材３６，３６を備えている。
側部シート部３４は、その長手方向における弾性部材３６が配されている範囲が、弾性部材が吸収性本体の長手方向に伸長状態で配された伸縮領域３４ｃとなっている。伸縮領域３４ｃは、吸収性本体３の長手方向に伸縮する。
【００１９】
側部シート部３４の伸縮領域３４ｃは、股下部Ｃ（吸収性本体３のＸ方向における腹側シート部材２Ａと背側シート部材２Ｂとの間）に、側部ギャザーを形成する。
すなわち、股下部Ｃにおける伸縮領域３４ｃは、側部シート部３４に伸長状態で配された弾性部材３６が収縮することで、側部シート部３４を構成するシート材３５が襞寄せされたり波状の断面形状に変形したりして、側部ギャザーを形成する。側部ギャザーは、少なくとも、自然状態及び／又は着用状態におけるおむつ１の股下部Ｃに形成され、着用者の肌側に向かって起立して着用者の肌に当接する。
【００２０】
おむつ１の側部シート部３４における伸縮領域３４ｃは、図２に示すように、腹側シート部材２Ａ内に一方の端部３４ｍ（以下、腹側端部３４ｍともいう）を有する。また、伸縮領域３４ｃは、図２に示すように、背側シート部材２Ｂ側内に他方の端部３４ｕ（以下、背側端部３４ｕともいう）を有する。そして、伸縮領域３４ｃにおいては、図２に示すように、おむつ１の長手方向中央線ＣＬから腹側端部３４ｍまでの長さＬｍが、該長手方向中央線ＣＬから背側端部３４ｕまでの長さＬｕより長くなっている。
【００２１】
着用者の股間の幅は、長手方向中央線ＣＬが位置する着用者の股下中央部より前側（腹側）において狭くなっている〔図８（ａ）参照〕。そのため、その部分に配される吸収性本体３の幅が広いと、吸収性本体３の両側部が、着用者Ｍの太腿の内側付近を押圧して、違和感や不快感を着用者に与え易いが、伸縮領域３４ｃにおける長手方向中央線ＣＬよりも前側に位置する部分の長さＬｍを長くすると、腹側における側部シート部３４の収縮領域３４ｃが、腹側における側部シート部３４の長手方向の広範囲に存在し、腹側における側部シート部３４が、着用者Ｍの肌に近づく方向に立ち上がり易くなる。また、側部シート部３４に追従するようになるので、図８（ａ）に示すように、吸収性本体３の両側部も着用者Ｍの肌に近づく方向に立ち上がり易くなる。このように、側部シート部３４及び吸収性本体３が立ち上がった場合には吸収性本体３の幅が狭くなるため、着用者の股間部に違和感や不快感を与えにくくなる。また、股間部におけるフィット性も向上し、動作や座った際など股間部に隙間が空き易い状況においても、隙間が空きにくくなり、排泄物の漏れを防ぐことができる。
【００２２】
他方、長手方向中央線ＣＬが位置する着用者の股下中央部よりも後方においては、両足によるくびれの影響が少なく、臀部は外側に凸の形状を有するため、着用者の股間の幅は、前側と比較して広くなっている。〔図８（ｂ）参照〕。前述の腹側のように側部シート部３４が立ち上がって、吸収性本体３の幅が狭くなった場合には、臀部の露出が大きくなり、お尻がはみ出ししているような外観となり、着用者の違和感につながる他、見た目の液漏れへの不安感につながる。また、便が緩く、特に便が臀部側に広げった場合には、立体ギャザーや側部シート部に付着し易くなり、動作によって衣類にまで漏れてしまうこともある。伸縮領域３４ｃにおける長手方向中央線ＣＬより後側に位置する部分の長さＬｕを短めにすることにより、側部シート部３４や吸収性本体３が、図８（ｂ）に示すように、あまり立ち上がらずに着用者Ｍの肌の曲面形状に広範囲に亘って平面的に沿い易くなり、吸収性本体３の両側部ないし側方シート部３４の肌への食い込みが生じにくくなり、臀部へのフィット性や外観も向上する他、臀部からの液漏れも防止することができる。
【００２３】
このような効果をより確実に得る観点から、伸縮領域３４ｃにおける長手方向中央線ＣＬより前側に位置する部分の長さＬｍと、長手方向中央線ＣＬから背側端部３４ｕまでの長さＬｕとは、１．１Ｌｕ≦Ｌｍ≦４．０Ｌｕであることが好ましく、１．１Ｌｕ≦Ｌｍ≦３．０Ｌｕであることが更に好ましい。
同様の観点から、前記長さＬｍは、伸縮領域３４ｃの全長（Ｌｍ＋Ｌｕ）の５２〜８０％であることが好ましく、より好ましくは５５〜７５％、更に好ましくは５５〜７０％である。
更に、前記長さＬｍは、おむつ１の全長Ｌの２５〜４０％、特に２８〜３８％であることが好ましく、前記長さＬｕは、おむつ１の全長Ｌの１０〜３５％、特に１５〜３０％であることが好ましい。
【００２４】
なお、前記長さＬｍを長くして、着用者の股下の前寄り部分の吸収性本体３の両側部を立ち上がらせた場合には、着用者の股間部の違和感は軽減するものの、着用者の前側の鼠蹊部近傍が、幅の狭くなった吸収性本体３から側方に露出し、漏れに対する不安感を与え易い外観となる。しかし、本実施形態のおむつ１は、腹側延出部２１ａが、吸収性本体３から側方に延出して、着用者の鼠蹊部近傍を覆うことができるため、そのような外観の悪化も防止することができる。
【００２５】
おむつ１においては、図２に示すように、側部シート部３４の伸縮領域３４ｃは、腹側シート部材２Ａ上にも延在している。伸縮領域３４ｃのうち、腹側シート部材２Ａ上に位置する部分の全域は、図２及び図６に示すように、腹側シート部材２Ａ上に接合されていない。そして、側部シート部３４は、伸縮領域３４ｃの腹側端部３４ｍ及び背側端部３４ｕよりも、吸収性本体３の長手方向Ｘの端部３ａ，３ｂ側において、腹側シート部材２Ａ及び背側シート部材２Ｂ上に接合されている。図２中、側部シート部３４は、斜線を付した領域が、接着剤８により腹側シート部材２Ａ又は背側シート部材２Ｂに接合されている領域である。また、ここでいう、全域は、Ｘ方向の全域の意味である。伸縮領域３４ｃの全域が接合されているか否かの判断は、側部シート部３４のＹ方向における、弾性部材３６の配置位置及びそれより外方に位置する部分が、Ｘ方向の全域において、腹側シート部材２Ａに接合されているか否かで判断する。
吸収性本体３は、吸収性本体３のＹ方向における長さの４０％以上１００％以下の領域が、Ｘ方向の全域において、腹側シート部材２Ａに接合されていることが好ましく、５５％以上９５％以下の領域で接合されていることがより好ましい。この場合、腹側シート部材２Ａの下側端縁部２ｄに、吸収性本体３と腹側シート部材２Ａとが接合されていない幅１０ｍｍ以下の非接合部がある場合も、Ｘ方向の全域での接合に含める。
側部シート部３４における図２中に斜線を付した領域は、おむつ１の幅方向（Ｙ方向）の外方側に倒した状態で、腹側シート部材２Ａ又は背側シート部材２Ｂに固定されている。
【００２６】
他方、側部シート部３４の伸縮領域３４ｃは、図２に示すように、背側シート部材２Ｂ上にも延在している。図２及び図７に示すように、伸縮領域３４ｃのうち、背側シート部材２Ｂに位置する部分の少なくとも一部は、背側シート部材２Ｂ上に接合されている。伸縮領域３４ｃの一部が接合されているか否かの判断も、側部シート部３４のＹ方向における、弾性部材３６の配置位置及びそれより外方に位置する部分が、Ｘ方向の一部において、背側シート部材２Ｂに接合されているか否かで判断する。
【００２７】
伸縮領域３４ｃにおける、腹側シート部材２Ａ上に位置する部分の全域が、腹側シート部材２Ａに接合されていないことによって、吸収性本体３の両側部の起立性が向上して、着用者の股下の前寄り部分に違和感や不快感が生じるのを一層防止することができる。また、背側シート部材２Ｂ上に位置する部分の少なくとも一部が、背側シート部材２Ｂに接合されていることによって、着用者の股下の背中寄り部分から臀部に掛けての部位に、吸収性本体３が幅方向に広げった状態で当接し、当該部位に対するフィット性や臀部の被覆性が一層向上する。このフィット性や被覆性の向上の観点から、伸縮領域３４ｃは、背側シート部材２Ｂの背側延出部２１ｂ上に全域又は一部が接合されていることが好ましい。
背側シート部材２Ｂと伸縮領域３４ｃが重なるＸ方向の長さをＬｓとしたとき、Ｌｓに対して、背側シート部材２Ｂにおけるウエスト端縁部側から１０％〜９５％の範囲内が、特に３０〜９５％の範囲内が、伸縮領域３４ｃと背側シート部材２Ｂとが接合された接合部であることが好ましい。背側シート部材２Ｂの下側端縁部２ｄに、吸収性本体３と背側シート部材２Ｂとが接合されていない幅１０ｍｍ以下の非接合部がある場合も、Ｘ方向の全域での接合に含める。吸収性本体３は、吸収性本体３のＹ方向における長さの４０％以上１００％以下の領域が、Ｘ方向の全域において、背側シート部材２Ｂに接合されていることが好ましく、５５％以上９５％以下の領域で接合されていることがより好ましい。
【００２８】
また、おむつ１においては、図２に示すように、伸縮領域３４ｃは、腹側シート部材２Ａの腹側延出部２１ａ上を縦断して腹側本体部２０ａ上にまで達しており、腹側端部３４ｍが、腹側本体部２０ａ上に位置している。他方、伸縮領域３４ｃの背側端部３４ｕは、背側延在部２１ｂ上に位置しており、背側本体部２０ｂに達していない。斯かる構成により、前記長さＬｍを前記長さＬｕより長くしたことによる前述の効果が、一層効果的に奏される。
【００２９】
側部シート部３４と腹側シート部材２Ａとの接合位置は、図２に示す実施形態に制限されない。例えば図３に示すとおり、腹側シート部材２Ａ上に位置する側部シート部３４は、伸縮領域３４ｃを含め、そのＸ方向全域及びＹ方向全域に亘って、腹側シート部材２Ａと非接合状態になっていても良い。同図においては、斜線を付して部分において、腹側シート部材２Ａと吸収性本体３とが接合状態になっている。腹側シート部材２Ａと吸収性本体３とをこのように接合することで、腹側部Ａにおいて伸縮領域３４ｃの起立性が向上し、該伸縮領域３４ｃと着用者の身体とのフィット性が高まり、該伸縮領域３４ｃと着用者の身体との間に隙間が生じることが効果的に防止される。また、着用者の足回りに生じ得る違和感を効果的に防止できる。なお、図３においては、弾性部材２４は省略されている。
【００３０】
同様に、伸縮領域３４ｃのうち、背側シート部材２Ｂ上に位置する部分と、該背側シート部材２Ｂとの接合位置は、図２に示す実施形態に制限されない。例えば図４（ａ）に示すとおり、伸縮領域３４ｃのうち、背側シート部材２Ｂ上に位置する部分は、Ｘ方向の全域に亘り、背側延出部２１ｂにおいて、背側シート部材２Ｂと接合されている。このように接合することで、背側シート部材２Ｂによる着用者の臀部の被覆性が向上するという利点がある。Ｙ方向に関しては、弾性部材３６よりもＹ方向の内方においてのみ背側シート部材２Ｂと接合されており、弾性部材３６よりもＹ方向の外方においては背側シート部材２Ｂと非接合状態とすることができる。このように接合を行うことで、伸縮領域３４ｃは、弾性部材３６よりもＹ方向の外方の部位の通気性が向上するという利点がある。なお図４（ａ）においては、斜線を付して部分において、背側シート部材２Ｂと吸収性本体３とが接合状態になっており、かつ弾性部材２４は省略されている（以下に説明する図４（ｂ）ないし（ｄ）においても同じ。）。
【００３１】
伸縮領域３４ｃのうち、背側シート部材２Ｂ上に位置する部分の通気性を一層向上させることを目的として、図４（ｂ）ないし（ｄ）の接合を採用することもできる。図４（ｂ）ないし（ｄ）においては、伸縮領域３４ｃは、Ｙ方向に関し、弾性部材３６が配置されている部分においてのみ背側シート部材２Ｂと接合されており、弾性部材３６よりもＹ方向の内方の部分及び外方の部分においては、背側シート部材２Ｂと非接合状態になっている。一方、Ｘ方向に関しては、以下に述べるとおりとなっている。
【００３２】
すなわち図４（ｂ）においては、側部シート部３４は、背側延出部２１ａにおいては、背側シート部材２Ｂと非接合状態になっている。また側部シート部３４は、背側本体部２０ｂにおける上側端縁部２ｃ寄りの部分が、背側シート部材２Ｂと接合状態になっており、かつ背側本体部２０ｂにおける下側端縁部２ｄ寄りの部分は背側シート部材２Ｂと非接合状態になっている。図４（ｃ）においては、側部シート部３４は、背側本体部２０ｂの全域において背側シート部材２Ｂと接合状態になっている。背側延出部２１ａにおいては、該背側延出部２１ａにおける上側端縁部２ｃ寄りの部分が、背側シート部材２Ｂと接合状態になっており、該背側延出部２１ａにおける下側端縁部２ｄ寄りの部分は、背側シート部材２Ｂと接合状態になっている。図４（ｄ）においては、側部シート部３４は、背側本体部２０ｂ及び腹側延出部２１ａの双方の全域において背側シート部材２Ｂと接合状態になっている。なお、図４（ｂ）ないし（ｄ）においては、図４（ａ）と同様に、伸縮領域３４の背側端部３４ｕは、背側延出部２１ａ内に位置している。
【００３３】
図２及び図５に示すように、吸収体３３は、その長手方向の両側に、吸収性コア３３ａの形成材料が存在しないか又は該形成材料の坪量が他の部分より少ない低剛性部３３ｄを有している。低剛性部３３ｄは、吸収体３３の両側縁から離間した位置に、該吸収体の長手方向に沿って延びるように形成されている。吸収体３３が、低剛性部３３ｄで折曲し易いことにより、おむつ着用時に、吸収性本体３の両側部が着用者の肌側に向かって立ち上がり易くなっている。吸収性コア３３ａの形成材料としては、パルプ繊維等の繊維材料や、吸水性ポリマー等が挙げられる。
【００３４】
また、側部シート部３４の伸縮領域３４ｃは、図２に示すように、その長手方向における腹側端部３４ｍ側が、低剛性部３３ｄの腹側シート部材２Ａ側の端部ｄ’の位置よりも、腹側シート部材２Ａのウエスト開口端２ｃ側に延出している。
斯かる構成により、腹側における伸縮領域３４ｃが収縮した場合には、吸収性コア３３のうち、低剛性部３３ｄで折曲して立ち上がった部位である、低剛性部３３ｄよりも外方に位置する部位を包むような形状に収縮領域３４ｃが収縮できるため、吸収性本体３の股間部の幅をより一層狭めて、股間部の違和感を軽減することができる。伸縮領域３４ｃのおむつ１のＸ方向の中心線ＣＬからの腹側端部３４ｍまでのＸ方向の長さＬｍは、おむつ１のＸ方向の中心線ＣＬから腹側における低剛性部３３ｄのＸ方向の端部ｄ’までのＸ方向の長さの１．２〜２．５倍、特に１．３〜２．０倍であることが好ましい。
【００３５】
側部シート部３４の伸縮領域３４ｃは、図２に示すように、その長手方向における背側端部３４ｕ側も、低剛性部３３ｄの背側シート部材２Ｂ側の端部ｄ”の位置よりも、背側シート部材２Ｂのウエスト開口端２ｃ側に延出している。斯かる構成により、両足に挟まれた股下部分において吸収体が立ち上がり易くなり、股下部分の違和感が軽減できる。更に、低剛性部３３ｄの背側シート部材２Ｂ側の端部ｄ”の位置を伸縮領域３４ｃ長手方向における背側端部３４ｕよりも股下側にしながら、Ｌｕの長さをＬｍの長さよりも短くすることで、背側の臀部において吸収体の立ち上がりを抑制することができるため、お尻のはみ出しを防止に一層効果が得られる。伸縮領域３４ｃのおむつ１のＸ方向の中心線ＣＬからの背側端部３４ｕまでのＸ方向の長さＬｕは、おむつ１のＸ方向の中心線ＣＬからの背側における低剛性部３３ｄのＸ方向の端部ｄ”までのＸ方向の長さの１〜２．５倍、特に１〜２．０倍であることが好ましい。
なお、ウエスト開口端２ｃは、腹側シート部材２Ａ及び背側シート部材２Ｂのそれぞれにおける、ウエスト開口部の開口周縁端を形成する端縁部（上側端縁部）２ｃである。
【００３６】
おむつ１は、図２に示すように、吸収性本体３の長手方向の両側における、側部シート部３４よりもＹ方向内側に、吸収性本体３の長手方向に沿って延びる立体ギャザー形成部３８を有している。
立体ギャザー形成部３８は、図５に示すように、シート材３５と、該シート材３５に固定された立体ギャザー形成用の弾性部材３９とを有してなる。立体ギャザー形成部３８は、少なくとも股下部Ｃに立体ギャザー３８ｃを形成する。本実施形態のおむつ１Ａにおけるシート材３５は、１枚のシートが、立体ギャザー形成部３８における、立体ギャザー３８ｃの自由端側の端部３８ａに配される折り曲げ部に沿って２つ折りされて２層構造とされている積層シートであり、該積層シートの層間に弾性部材３９が接着剤を介して固定されている。また、その積層シートは、側部シート部３４における、側部ギャザーの自由端側の端部３４ａに配される折り曲げ部に沿って更に２つ折りされており、それによって相対向した２枚の積層シート（４枚のシート材３５）間に弾性部材３６が接着剤を介して固定されている。また、その積層シートどうしは、吸収体３３の側縁部の近傍、より詳細には側縁部のやや外方の位置に形成された線状接合部３０において、両者間に表面シート３１を介在させた状態で接合一体化されている。
【００３７】
線状接合部３０は、図２に示すように、長方形状の吸収体３３の両側縁部それぞれに沿って延びており、また、吸収体３３及び吸収性本体３のＸ方向の全長に亘って延びている。線状接合部３０は、連続直線状に形成されていることが好ましいが、点線状に形成されていても良い。また、線状接合部３０を形成する際の接合方法としては、ヒートシール、超音波シール、高周波シール、接着剤の各種公知の接合方法が用いられる。
【００３８】
立体ギャザー３８ｃは、おむつ１Ａの着用時に、着用者の肌側に向かって起立し、吸収性本体３から幅方向外方への液の流出を阻止する。表面シート３１、裏面シート３２、吸収性コア３３ａ，コアラップシート３３ｂ，３３ｃの形成材料としては、それぞれ、この種の吸収性物品に従来用いられているものと同様のものを用いることができる。吸収性本体３の裏面シート３２側には、肌触りを良くする観点等から不織布等からなる外装シート３２ａを配することもできる。
【００３９】
おむつ１における立体ギャザー３８ｃは、図２に示すように、おむつ１のＸ方向の背側シート部材２Ｂ側において、側部シート部３４の伸縮領域３４ｃの背側端部３４ｕの位置よりも、背側シート部材２Ｂのウエスト開口端２ｃ側に延出している。前記長さＬｍを前記長さＬｕより長くしたことによって、着用者の臀部側においては、臀部の側方へのはみ出しが問題となりにくいので、背側シート部材２Ｂ側においては、立体ギャザー３８ｃを長く形成することにより、臀部の被覆性等を低下させることなく、漏れ防止性を一層向上させることができる。おむつ１の中心線ＣＬから立体ギャザー３８ｃの伸縮領域の背側における端部までのＸ方向の長さは、おむつ１の中心線ＣＬから側部シート部３４の背側端部３４ｕまでのＸ方向の長さＬｕの１．１倍〜２．５倍が好ましく、１．２〜２．０倍がより好ましい。
他方、おむつ１における立体ギャザー３８ｃは、図２に示すように、おむつ１のＸ方向の腹側シート部材２Ａ側においては、側部シート部３４の伸縮領域３４ｃの腹側端部３４ｍの位置に達していない。これにより、股下部に形成される立体ギャザー３８ｃにより優れた漏れ防止性を得つつ、股間部の腹寄り部分に違和感が生じるのを防止することができる。おむつ１の中心線ＣＬから立体ギャザー３８ｃの伸縮領域の腹側における端部までのＸ方向の長さは、おむつ１の中心線ＣＬから側部シート部３４の腹側端部３４ｍまでのＸ方向の長さＬｍの１倍より小さく０．５倍以上が好ましく、１倍より小さく０．７倍以上がより好ましい。
【００４０】
立体ギャザー３８ｃの長手方向（Ｘ方向）の両端は、立体ギャザー形成部３８における、起立し得る部分の両端である。なお、図２に示す実施形態では、弾性部材３９が伸縮性を発現する範囲と、立体ギャザー形成部３８の起立し得る範囲（立体ギャザーが形成される範囲）とは同じになっている。
なお、立体ギャザー形成部３８の長手方向の両端部又はその近傍部は、おむつ１の幅方向（Ｙ方向）の内方側に倒した状態で、表面シート３１上に固定されている。
【００４１】
また、吸収性コア３３ａは、その長手方向の中央線（吸収性コアのＸ方向の全長を２等分するＹ方向に延びる線）が、物品の前記長手方向中央線ＣＬよりも、腹側シート部材側に存在することが、低剛性部３３ｄを腹側寄りに位置させて、腹寄り部分における吸収性本体３の両側部の起立性を向上させ、吸収性本体３の起立時の幅を狭めて股下の違和感を低減させる観点等から好ましい。
物品の前記長手方向中央線ＣＬから低剛性部３３ｄの腹側における端部ｄ’までの長さは、物品の前記長手方向中央線ＣＬから低剛性部３３ｄの背側における端部ｄ”までの長さの１．１〜２．５倍が好ましく、より好ましくは１．１〜２．０倍である。こうすることで、股下部の吸収性本体３の起立性を向上させて、股下の違和感を低減させる効果に加えて、背側は臀部の湾曲に沿い易く食い込みやお尻のはみ出しを防止する効果が得られる。加えて、物品の前記長手方向中央線ＣＬから吸収性コア３３ａの腹側端部までの長手方向の長さよりも、物品の前記長手方向中央線ＣＬから吸収性コア３３ａの背側端部までの長手方向の長さを長くすることで、腹側の吸収容量を増やすことができる。こうすることで、立ち上がり易さを向上させることに起因して股間が狭くなったことによって起こり得る漏れの危険性を、腹側の吸収容量の増加で補うことができ、漏れを防止する効果も得られる。
【００４２】
おむつ１における腹側シート部材２Ａ及び背側シート部材２Ｂは何れも、図２、図６及び図７に示すように、おむつの外面をなす外層シート２２と、外層シート２２の内面側に配された内層シート２３と、両シート２２，２３間に配された複数本の糸状の弾性部材２４とを備えており、腹側本体部２０ａ及び背側本体部２０ｂに、それぞれ、ウエスト伸縮部Ｇ１及び胴回り伸縮部Ｇ２が形成され、腹側延出部２１ａ及び背側延出部２１ｂに、延出部伸縮部Ｇ３が形成されている。
【００４３】
ウエスト伸縮部Ｇ１は、腹側シート部材２Ａ及び背側シート部材２Ｂのそれぞれにおいて、おむつ１の長手方向（Ｘ方向）における、吸収性本体３の長手方向の端部３ａ，３ｂより外方に形成されている。胴回り伸縮部Ｇ２は、腹側シート部材２Ａ及び背側シート部材２Ｂのそれぞれにおいて、Ｘ方向における、ウエスト伸縮部Ｇ１と腹側延出部２１ａ又は背側延出部２１ｂとの間に形成されている。延出部伸縮部Ｇ３は、腹側延出部２１ａ又は背側延出部２１ｂに形成されている。胴回り伸縮部Ｇ２及び延出部伸縮部Ｇ３は、それぞれ、おむつ１の幅方向（Ｙ方向）における、少なくとも、吸収性本体３の長手方向の両側縁それぞれより外方に位置する部分に形成されている。
【００４４】
ウエスト伸縮部Ｇ１、胴回り伸縮部Ｇ２、延出部伸縮部Ｇ３は、それぞれ、おむつ１の横方向（Ｙ方向）における、少なくとも、吸収体３３の両側縁それぞれより外方に位置する部分において伸縮性を発現することが好ましい。
図５〜図７には、ウエスト伸縮部Ｇ１、胴回り伸縮部Ｇ２、延出部伸縮部Ｇ３を形成する弾性部材２４が、吸収体３３を横断して、腹側シート部材２Ａ及び背側シート部材２Ｂの全幅に亘って延びている例を示したが、胴回り伸縮部Ｇ２及び／又は延出部伸縮部Ｇ３を形成する弾性部材２４は、吸収体３３の幅方向中央部と重なる部分においては、熱処理等により弾性部材の弾性を喪失させたり、弾性部材を切断したりする等により、該部分では弾性部材２４が腹側シート部材２Ａ及び背側シート部材２Ｂに伸縮性を付与しないようにすることが好ましい。
【００４５】
腹側シート部材２Ａ及び背側シート部材２Ｂを構成する２枚のシート２２，２３間は、腹側シート部材２Ａ及び背側シート部材２Ｂそれぞれの実質的に全域において接着剤で固定されていても良いし、特開２００５−８０８５９号公報に記載の弾性伸縮部材における２枚のシート材間のように、弾性部材２４を通らないように散点状に形成された多数の接合部において接合されていても良い。
【００４６】
腹側シート部材２Ａは、腹側本体部２０ａ及び腹側延出部２１ａのそれぞれに、複数本の弾性部材２４が、Ｘ方向に間隔を開けて配されていることが好ましい。背側シート部材２Ｂも、同様に、背側本体部２０ｂ及び背側延出部２１ｂのそれぞれに、複数本の弾性部材２４が、Ｘ方向に間隔を開けて配されていることが好ましい。
【００４７】
腹側延出部２１ａの長さＬ５（図２参照）は、腹側シート部材２Ａの長さＬａ（図２参照）の５〜６０％、特に２０〜４０％であることが好ましく、背側延出部２１ｂの長さＬ６（図２参照）は、背側シート部材２Ｂの長さＬｂ（図２参照）の５〜６０％、特に２０〜４０％であることが好ましい。また、幼児用のおむつの場合、腹側及び背側延出部２１ａ，２１ｂそれぞれの長さＬ５，Ｌ６は、１０〜１５０ｍｍであることが好ましく、より好ましくは２０〜１００ｍｍである。成人用のおむつの場合、腹側及び背側延出部２１ａ，２１ｂそれぞれの長さＬ５，Ｌ６は、１０〜２００ｍｍであることが好ましく、より好ましくは２０〜１５０ｍｍである。
【００４８】
また、背側延出部２１ｂの長さＬ６は、腹側延出部２１ａの長さＬ５より長い（Ｌ６＞Ｌ５）ことが、腹側延出部２１ａと背側延出部２１ｂとの間の隙間が、サイドシール部の剥離やシートの裂けによって生じたような印象を与えないようにする観点から好ましい。但し、背側延出部２１ｂの長さＬ６は、腹側延出部２１ａの長さＬ５の１．２〜１０倍、特に１．５〜６．５倍であることが、くびれや湾曲を有する体型へのフィット性やお尻のはみ出し防止などの装着外観向上、装着時の違和感改善の点から好ましい。
腹側延出部２１ａ及び背側延出部２１ｂの長さＬ５，Ｌ６は、何れもおむつ長手方向（Ｘ方向）の長さである。
【００４９】
なお、上述した実施形態のおむつ１における、外層シート２２及び内層シート２３は、図２に示すように、ウエスト開口部の開口周縁端をなす端縁部２ｃにおいて内層シート２３側に折り返された延出折り返し部２２ａ，２３ａを有しており、延出折り返し部２２ａ，２３ａは、サイドシール部４において、外層シート２２及び内層シート２３の折り返されていない部分と接合されていると共に、吸収性本体３の長手方向と重なる部分が、接着剤により該吸収性本体３の表面シート３１側の面に接合されている。
【００５０】
外層シート２２及び内層シート２３としては、この種の物品に従来使用されている各種のシート材を特に制限なく用いることができるが、不織布であることが好ましく、特に柔軟性等の観点から、エアースルー不織布、ヒートロール不織布、スパンレース不織布、スパンボンド不織布、メルトブローン不織布等からなる単層の不織布又は２層以上の積層不織布であることが好ましい。また、これらの不織布とフィルムとを一体化したシートでも良い。弾性部材２４、３６，３９の形成材料としては、使い捨ておむつや生理用ナプキン等の吸収性物品に用いられる各種公知の弾性材料を特に制限なく用いることができる。弾性材料としては、例えば、スチレン−ブタジエン、ブタジエン、イソプレン、ネオプレン等の合成ゴム、天然ゴム、ＥＶＡ、伸縮性ポリオレフィン、ポリウレタン等を挙げることができる。弾性部材の形態としては、断面が矩形、正方形、円形、多角形状等の糸状（糸ゴム等）若しくは紐状（平ゴム等）のもの、又はマルチフィラメントタイプの糸状のもの等を好ましく用いることができる。
【００５１】
上述したおむつ１は、例えば、腹側シート部材２Ａの帯状原反と背側シート部材２Ｂの帯状原反とを離間させて搬送しつつ、吸収性本体３を、両者間に架け渡すように間欠的に固定し、次いで、腹側シート部材２Ａの帯状原反と背側シート部材２Ｂの帯状原反とが重なるように二つ折りした後、サイドシール部４を形成するための熱シール等（接合）を行い、その接合と同時又はその後に切断して個々の使い捨ておむつに分割することにより効率的に製造することができる。この方法によれば、レッグ開口部形成用の貫通孔や切り欠きを形成する場合に比して、外包材の原反からのトリムの除去を不要としたり、除去すべきトリムを小型化したりすることができる。特に腹側シート部材２Ａ及び背側シート部材２Ｂの帯状原反を流れ方向と直交する直線で切断したものが、完成したおむつ１の腹側シート部材２Ａ及び背側シート部材２Ｂとなるようにすることがトリムの除去を不要とできるため好ましい。
【００５２】
次に、本発明の第２実施形態のパンツ型使い捨ておむつについて、図９を参照して説明する。
第２実施形態のパンツ型使い捨ておむつについては、第１実施形態との相違点について主として説明し、同様の点については説明を省略する。特に説明しない点は、第１実施形態と同様である。図９には、第１実施形態のおむつの構成要素等と同様の構成要素等に同一の符号を付してある。
【００５３】
第２実施形態のおむつ１Ａにおいては、表面シート３１が、吸収体３３の裏面側に巻き下げられており、吸収体３３の裏面シート３２側における吸収体３３の側縁から離間した位置に、表面シート３１の巻き下げられた部分と側部シート部３４形成用のシート材３５とが接合された接合点８１が形成されている。おむつ１Ａにおける吸収体３３は、股下部Ｃに配された部分に左右一対の低剛性部（折曲誘導部）３３３を備えた平面視矩形状の下部吸収性コア３３１と、下部吸収性コア３３１より小型で、下部吸収性コア３３１上に積層された上部吸収性コア３３２と、これらを被覆するコアラップシート（図示略）から形成されている。低剛性部（折曲誘導部）３３３は、パルプ繊維等の吸収性コアの構成材料が配されていない欠落部であるか、吸収性コアの構成材料が他の部分に比して少ない低坪量部であるか、又はスリット等であり、曲げ剛性を低減して、吸収体３３の両側部が立ち上がり易くするものである。
【００５４】
第２実施形態のおむつ１Ａも、第１実施形態と同様に、側部シート部３４における伸縮領域３４ｃは、おむつ１Ａの長手方向中央線ＣＬ（おむつの長手方向の全長を２等分する線）から腹側端部３４ｍまでの長さＬｍが、該長手方向中央線ＣＬから背側端部３４ｕまでの長さＬｕより長い。また、側部シート部３４の伸縮領域３４ｃは、腹側シート部材２Ａ上に位置する部分のＸ方向の全域が、腹側シート部材２Ａ上に接合されていない一方、背側シート部材２Ｂに位置する部分のＸ方向の少なくとも一部が、背側シート部材２Ｂ上に接合されている。
そのため、第２実施形態のおむつ１Ａによれば、第１実施形態と同様の作用効果が奏し得られる。
【００５５】
以上、本発明をその好ましい実施形態に基づき説明したが、本発明は上述した実施形態に制限されず適宜変更可能である。
例えば、吸収性本体３は、立体ギャザー形成部５１を有しないものであっても良い。
また、胴回り伸縮部Ｇ２を、腹側シート部材２Ａ及び／又は背側シート部材２Ｂの全幅に亘るように形成しても良く、延出部伸縮部Ｇ３も、腹側シート部材２Ａ及び／又は背側シート部材２Ｂの全幅に亘るように形成しても良い。
【００５６】
また、伸縮領域３４ｃは、長手方向の両端３４ｍ，３４ｕが、腹側シート部材２Ａ上及び背側シート部材２Ｂ上に達していることが好ましいが、腹側シート部材側の端部３４ｍが、腹側本体部２０ａに達していなくても良い。また、背側シート部材側の端部３４ｕは、背側シート部材２Ｂ上に達していなくても良いし、背側延出部２１ｂを縦断して背側本体部２０ｂ上に達していても良い。
【００５７】
また、側部シート部３４に配する弾性部材３６の本数は、２本に代えて、１本又は３本以上（例えば３〜５本等）とすることもできる。立体ギャザー形成部３８に配する弾性部材３９の本数も、第２実施形態のように１本としても良く、３本以上（例えば３〜５本等）とすることもできる。
【００５８】
また側部シート部３４におけるシートの積層構造は、必ずしも本実施形態のような４層構造とする必要はない。図１０（ａ）に、実施形態のおむつ１、１Ａにおける側部シート部３４の具体的な積層構造を示す。上述のように、立体ギャザー３８ｃは、シート材３５が２つ折りされた２層の積層シートからなる。そして側部シート部３４は、該積層シートが更に２つ折りされた４枚のシート材３５からなり、弾性部材３６は２層の積層シート間に固定されている。
これに対し、図１０（ｂ）のように、立体ギャザー３８ｃを構成する２枚のシート材３５のうち外側の１枚のみをＹ方向外方に延在させ、側部ギャザーの自由端側の端部３４ａに配される折り曲げ部に沿って２つ折りすることにより、側部シート部３４を２層構造に形成しても良い。この場合は２枚のシート材３５の間に弾性部材３６が接着剤を介して固定されている。また前記線状接合部３０ではシート材３５が３枚重なった３層状態となっており、該３層は、立体ギャザー３８ｃを構成する２層と、側部シート部３４を構成する表側の１層との間に、表面シート３１を介在させた状態で接合一体化されている。
【００５９】
また、サイドシール部４は、腹側及び背側シート部材の側縁部２ａ，２ｂを接合して形成されているが、サイドシール部４の外側に腹側シート部材２Ａと背側シート部材２Ｂとが接合されていない細幅（例えば０ｍｍ超２０ｍｍ以下）の非接合部分を有していても良い。
【００６０】
また、パンツ型吸収性物品は、幼児又は成人用のパンツ型使い捨ておむつの他、パンツ型の生理用ナプキン等であっても良い。
上述した一の実施形態における説明省略部分及び一の実施形態のみが有する要件は、それぞれ他の実施形態に適宜適用することができ、また、各実施形態における要件は、適宜、実施形態間で相互に置換可能である。
【符号の説明】
【００６１】
１，１Ａ  パンツ型使い捨ておむつ（パンツ型吸収性物品）
２Ａ  腹側シート部材
２ａ  側縁部
２０ａ  腹側本体部
２１ａ  腹側延出部
２Ｂ  背側シート部材
２ｂ  側縁部
２０ｂ  背側本体部
２１ｂ  背側延出部
２２  外層シート
２３  内層シート
２４  弾性部材
３  吸収性本体
３１  表面シート
３２  裏面シート
３３  吸収体
３３ａ  吸収性コア
３３ｂ，３３ｃ  コアラップシート
３３ｄ  低剛性部
３４  側部シート部
３４ｃ  伸縮領域
３４ｍ  腹側端部
３４ｕ  背側端部
３８  立体ギャザー形成部
３８ｃ  立体ギャザー
３３３（低剛性部）
４  サイドシール部
５  ウエスト開口部
６  レッグ開口部
Ａ  腹側部
Ｂ  背側部
Ｃ  股下部
Ｇ１  ウエスト伸縮部
Ｇ２  胴回り伸縮部
Ｇ３  延出部伸縮部
【図１】
2012148067.tif 000003
【図２】
2012148067.tif 000004
【図３】
2012148067.tif 000005
【図４】
2012148067.tif 000006
【図５】
2012148067.tif 000007
【図６】
2012148067.tif 000008
【図７】
2012148067.tif 000009
【図８】
2012148067.tif 000010
【図９】
2012148067.tif 000011
【図１０】
2012148067.tif 000012
【手続補正書】
【提出日】平成24年4月17日(2012.4.17)
【手続補正１】
【補正対象書類名】特許請求の範囲
【補正対象項目名】全文
【補正方法】変更
【補正の内容】
【特許請求の範囲】
【請求項１】
着用者の腹側に配される矩形状の腹側シート部材と、着用者の背側に配される矩形状の背側シート部材と、腹側シート部材及び背側シート部材に架け渡して固定された吸収性本体とを具備し、ウエスト開口部及び一対のレッグ開口部を有するパンツ型吸収性物品であって、
腹側シート部材及び背側シート部材は、それぞれ、左右両側にサイドシール部を有する本体部と、該本体部から股下部側に延出し、左右両側にサイドシール部を有しない延出部とを有しており、
前記吸収性本体は、縦長の吸収体、及び該吸収体の長手方向の両側縁それぞれの外方に位置する側部シート部を有しており、
前記側部シート部は、該側部シート部に伸長状態で固定された弾性部材によって伸縮性を示す伸縮領域を、股下部並びに腹側シート部材上及び背側シート部材上に有しており、
前記伸縮領域は、物品の長手方向中央線から腹側シート部材側の端部までの長さが、該長手方向中央線から背側シート部材側の端部までの長さより長く、
前記伸縮領域のうち、腹側シート部材上に位置する部分の全域が、腹側シート部材上に接合されておらず、かつ前記伸縮領域のうち、背側シート部材に位置する部分の少なくとも一部が、背側シート部材上に接合されている、パンツ型吸収性物品。
【請求項２】
前記伸縮領域は、腹側シート部材側の端部が、該腹側シート部材の前記本体部上に位置しており、背側シート部材側の端部が、該背側シート部材の前記延出部上に位置している、請求項１に記載のパンツ型吸収性物品。
【請求項３】
前記吸収体は、長手方向の両側それぞれに、長手方向に沿って延びる低剛性部を有している、請求項１又は２に記載のパンツ型吸収性物品。
【請求項４】
前記伸縮領域は、その腹側シート部材側の端部が、前記低剛性部の腹側シート部材側の端部の位置よりも、腹側シート部材のウエスト開口端側に延出している、請求項３に記載のパンツ型吸収性物品。
【請求項５】
前記吸収性本体の長手方向の両側における、前記側部シート部よりも幅方向内側に立体ギャザーを有しており、該立体ギャザーの伸縮領域は、前記側部シート部の前記伸縮領域の背側シート部材側の端部の位置よりも、背側シート部材のウエスト開口端側に延出している、請求項１〜４のいずれか１項に記載のパンツ型吸収性物品。
【請求項６】
前記吸収性本体の長手方向の両側における、前記側部シート部よりも幅方向内側に立体ギャザーを有しており、腹側シート部材側においては、該立体ギャザーの伸縮領域の端部は、前記側部シート部の前記伸縮領域における腹側シート部材側の端部の位置に達していない、請求項１〜５のいずれか１項に記載のパンツ型吸収性物品。
【請求項７】
前記吸収体は、繊維の集合体又はこれに吸水性ポリマーの粒子を保持させてなる吸収性コアと、該吸収性コアを被覆するコアラップシートを有し、前記吸収性コアの長手方向の中央線が、物品の前記長手方向中央線よりも、腹側シート部材側に存在する、請求項１〜６のいずれか１項に記載のパンツ型吸収性物品。